(57)【要約】      （修正有）【課題】水の磁化能力を向上させる小分子活性水生成装置を提供する。【解決手段】小分子活性水生成装置は、螺旋管１０と、コイルアセンブリ２０と、中空の環状ケーシング３０と、回路基板４０とを含む。螺旋管１０は、螺旋管状の本体１１を備え、且つ螺旋管状の本体１１の一端から延伸するように給水チャネル１２及び吐水チャネル１３が形成される。コイルアセンブリ２０には、螺旋管１０を収容するための第１の収容スペース２１が形成される。中空の環状ケーシング３０の内側には、螺旋管１０及びコイルアセンブリ２０を収容するための第２の収容スペース３１が形成され、且つ中空の環状ケーシング３０の外側には、複数の磁気素子３２が周設される。回路基板４０は、コイルアセンブリ２０に電気的に接続され、小分子活性水生成装置への給水及び吐水を制御できる。これにより、水分子は、小分子活性水生成装置の中で磁化されて小分子の水分子集団に変わり、利用効率が向上する。【選択図】図１
0003221612.tif 000002
【実用新案登録請求の範囲】
【請求項１】
小分子活性水生成装置の高さは１００乃至１３０ｍｍであり、前記高さの方向である第１の方向を向く給水チャネル及び同じく前記第１の方向に延伸し前記給水チャネルに平行に設けられる吐水チャネルが延出する螺旋管状の本体を備え、前記螺旋管状の本体は、（１）前記螺旋管状の本体の高さ（Ｈ１）は６５乃至８０ｍｍであること、（２）前記螺旋管状の本体の外径（Ｄ１）は４８乃至５８ｍｍであること、（３）前記給水チャネル及び前記吐水チャネルの、前記螺旋管状の本体の一端に突出する高さ（Ｈ２）は、それぞれ３５乃至５０ｍｍであることの３つの条件の少なくとも１つを満たす、高さが１００乃至１３０ｍｍである螺旋管と、
円柱体及び前記円柱体に巻き付けられる少なくとも１本の金属線を有し、前記円柱体の内部に前記螺旋管をその中に配置するための第１の収容スペースが設けられ、且つ前記円柱体に前記少なくとも１本の金属線が１６５乃至２０５周巻き付けられるコイルアセンブリと、
内側に前記螺旋管及び前記コイルアセンブリをその中に配置するための第２の収容スペースが設けられ、外側に複数の磁気素子が周設される中空の環状ケーシングと、
前記コイルアセンブリに電気的に接続される回路基板と、を含むことを特徴とする小分子活性水生成装置。
【請求項２】
予備洗浄モジュールと、メイン洗浄モジュールと、洗い流しモジュールと、洗浄対象物を前記予備洗浄モジュール、前記メイン洗浄モジュール、前記洗い流しモジュールをこの順に通過させるための輸送ベルトとを含み、前記予備洗浄モジュールは、請求項１に記載の小分子活性水生成装置を含むことを特徴とする食器洗い機。
【考案の詳細な説明】
【技術分野】
【０００１】
本考案は、磁化装置に係り、より詳しくは、水を磁化するための磁化装置及び当該磁化装置を含む食器洗い機に関する。
【背景技術】
【０００２】
水は、地球で最もよく見られ、最も重要な物質の一つであり、生物体を構成するだけでなく、全ての生き物が生きるために欠かせないものでもある。人類は、昔から水の構造について研究を行ってきており、水を使用する過程で、水の分子集団を小さくし、利用効率を高めるなど、水の特性を変えるために様々な試みを行っている。例えば、近年では、人工的な方法により水を磁化し、産業、農業と健康分野に利用するという作業が行われ、そのための関連研究により、磁化後の水は、溶存酸素量や、酵素活性、生物膜の透過性などいずれにおいても顕著に向上していることが判明した。
【０００３】
現在、多くの研究者が水を磁化する装置を開発しているが、装置の構造や水の磁化能力などの面で改善する余地がある。
【考案の概要】
【考案が解決しようとする課題】
【０００４】
本考案は、水の磁化能力が向上する小分子活性水生成装置を提供するとともに、当該活性水生成装置を用いることにより、洗浄用水及び洗剤の消費を減少させ、食器の洗浄効果が向上する食器洗い機を提供することを目的とする。
【課題を解決するための手段】
【０００５】
上記目的を達成するためになされた本考案は、小分子活性水生成装置を提供する。当該装置は、高さは１００乃至１３０ｍｍであり、前記高さの方向である第１の方向を向く給水チャネル及び同じく当該第１の方向に延伸し当該給水チャネルに平行に設けられる吐水チャネルが延出する螺旋管状の本体を備え、高さが１００乃至１３０ｍｍである螺旋管と、円柱体及び当該円柱体に巻き付けられる少なくとも１本の金属線を有し、当該円柱体の内部に当該螺旋管をその中に配置するための第１の収容スペースが設けられ、且つ当該円柱体に当該少なくとも１本の金属線が１６５乃至２０５周巻き付けられるコイルアセンブリと、内側に当該螺旋管及び当該コイルアセンブリをその中に配置するための第２の収容スペースが設けられ、外側に複数の磁気素子が周設される中空の環状ケーシングと、当該コイルアセンブリに電気的に接続される回路基板とを含み、当該螺旋管状の本体は、以下の条件の少なくとも１つを満たす：（１）当該螺旋管状の本体（Ｈ１）の高さは６５乃至８０ｍｍである。（２）当該螺旋管状の本体の外径（Ｄ１）は４８乃至５８ｍｍである。（３）当該給水チャネル及び当該吐水チャネルの、当該螺旋管状の本体の一端に突出する高さ（Ｈ２）は、それぞれ３５乃至５０ｍｍである。
【０００６】
本考案はさらに、食器洗い機を提供する。当該食器洗い機は、予備洗浄モジュールと、メイン洗浄モジュールと、洗い流しモジュールと、輸送ベルトとを含み、当該予備洗浄モジュールは、上記活性水生成装置を含んで洗浄対象物を洗浄するための小分子水を提供する。
【考案の効果】
【０００７】
本考案によれば、特定寸法の磁場装置を備える小分子活性水生成装置を利用して水を磁化することにより、水分子集団のサイズの半値幅を磁化前の約４５乃至６５％と大幅に低減するとともに、溶存酸素量も磁化前の約１．５乃至２．５倍に向上させる。これにより、水の利用効率が向上し、食器洗い機に用いる場合、磁化後の水分子集団のサイズが小さくなり、表面張力が低減するため、洗浄用水及び洗剤の消費を効果的に減少させ、食器の洗浄効率を高めるという効果がある。
【図面の簡単な説明】
【０００８】
【図１】本考案に係る小分子活性水生成装置の一実施形態を概略的に示す図である。
【図２】本考案に係る小分子活性水生成装置の一実施形態の螺旋管を概略的に示す図である。
【図３】本考案に係る小分子活性水生成装置の一実施形態の螺旋管を概略的に示す図である。
【図４】本考案に係る小分子活性水生成装置の一実施形態の中空の環状ケーシングを概略的に示す図である。
【図５】本考案に係る小分子活性水生成装置の一実施形態の中空の環状ケーシングを概略的に示す図である。
【図６】本考案に係る小分子活性水生成装置を含む食器洗い機の一実施形態を概略的に示す図である。
【考案を実施するための形態】
【０００９】
図１は、本考案に係る小分子活性水生成装置１の一実施形態を概略的に示す図であり、当該装置は、螺旋管１０と、コイルアセンブリ２０と、中空の環状ケーシング３０と、回路基板４０とを含む。
【００１０】
図２、図３に示すように、螺旋管１０は、長さ９５乃至１２５ｃｍの金属管を捻じ曲げて高さ１００乃至１３０ｍｍの螺旋管１０を形成させたものである。本実施形態による小分子活性水生成装置において、長さ１１０ｃｍのステンレス鋼管を使用し、それを捻じ曲げて高さ１１６ｍｍの螺旋管１０を形成させる。螺旋管１０の更なる構造として、螺旋管１０を構成する螺旋管状の本体１１の高さＨ１は６５乃至８０ｍｍ（例えば７３ｍｍ）であり、且つ螺旋管状の本体１１の外径Ｄ１は４８乃至５８ｍｍ（例えば５３ｍｍ）である。螺旋管１０は、螺旋管状の本体１１を備え、螺旋管状の本体１１の内部にスペースが形成され、且つ当該金属管の両端のうち一方の端部は第１の方向に延伸し、他端は内向きに折り曲げられて螺旋管状の本体１１と９０°の角度をなし且つ螺旋管状の本体１１の当該スペースの底部を通過し、さらに垂直に９０°折り曲げられて螺旋管状の本体１１の当該スペースの内壁に沿って当該第１の方向に延伸することにより、当該金属管の両端は、給水チャネル１２及び吐水チャネル１３としての、第１の方向に平行に延伸するチャネルを形成する。給水チャネル１２と吐水チャネル１３は、高さが同じでも異なってもよい。詳しく言えば、螺旋管１０の一端を基準とすると、螺旋管１０の当該端に突出する給水チャネル１２と吐水チャネル１３は長さが同じであり、その高さＨ２は３５乃至５０ｍｍ（例えば４３ｍｍ）であり、且つ給水チャネル１２及び吐水チャネル１３の内径は７乃至８．５ｍｍ（例えば７．７ｍｍ）であり、その外径は８．５乃至１０．５ｍｍ（例えば９．４ｍｍ）である。
【００１１】
図１に示すように、コイルアセンブリ２０は、円柱体２２と、当該円柱体２２に巻き付けられる少なくとも１本の金属線２３とを含み、円柱体２２の材質はプラスチックであり、且つその内部に螺旋管１０を配置するための第１の収容スペース２１が設けられる。円柱体２２は、外径Ｄ３が６５乃至８０ｍｍであり、高さＨ３が７７乃至９５ｍｍである。一実施例として、その外径Ｄ３は７０ｍｍであり、高さＨ３は８６ｍｍである。第１の収容スペース２１の内径Ｄ２は、６０乃至７５ｍｍ（例えば６７ｍｍ）である。
【００１２】
金属線２３は、直径０．２乃至０．２６ｍｍの銅線であり、コイルアセンブリ２０は、円柱体２２に当該銅線を１６５乃至２０５周巻き付けるか、または別の実施形態として、長さが約３５００乃至４５００ｃｍの銅線６本を円柱体２２に１８５周巻き付けることでコイルアセンブリ２０を得る。金属線２３を巻き付けたコイルアセンブリ２０の外径Ｄ４は、約７３ｍｍである。
【００１３】
図４、図５に示すように、中空の環状ケーシング３０の内側に、螺旋管１０及びコイルアセンブリ２０を共にその中に配置するための第２の収容スペース３１が形成される。第２の収容スペース３１の内径Ｄ５は６０乃至８０ｍｍ（例えば７２ｍｍ）であり、中空の環状ケーシング３０の高さＨ４は８５乃至１０５ｍｍであり、本実施形態による小分子活性水生成装置において、９５ｍｍである。
【００１４】
中空の環状ケーシング３０に複数の磁気素子３２が周設され、本実施形態による小分子活性水生成装置において、磁気素子３２は磁石であり、２つの磁石の間に所定の間隔を隔てる。例えば、４つの磁石をほぼ等間隔で中空の環状ケーシング３０の外側の突出部３３に設ける。各当該磁石は長さが５０乃至６５ｍｍ（例えば５７ｍｍ）であり、幅が１０乃至１５ｍｍ（例えば１３ｍｍ）である。
【００１５】
中空の環状ケーシング３０の底部３４は、複数の放熱用の貫通孔３５をさらに含む。
【００１６】
回路基板４０は、コイルアセンブリ２０に電気的に接続される。本実施形態による小分子活性水生成装置において、当該回路基板４０は、長さ（Ｌ１）５０乃至６５ｍｍ、幅（Ｄ６）８０乃至１０５ｍｍの長方形の基板に集積され、さらには、長さＬ１が約５６ｍｍであり、幅Ｄ６が約９４ｍｍである。
【００１７】
２５℃における５００ＭＨｚ核磁気共鳴により１７Ｏを検出したところ、水分子が集まる水分子集団の半値幅が、小分子活性水生成装置１による磁化前は約１１３．５Ｈｚであり、小分子活性水生成装置１を通過して切断された後、約６７．２Ｈｚとなった。ヨウ素滴定により溶存酸素量を検出したところ、溶存酸素量は、小分子活性水生成装置１０１による磁化前の４．０ｍｇ／Ｌから８．０ｍｇ／Ｌに増加した。
【００１８】
本考案はさらに、食器洗い機を提供する。当該食器洗い機は、上記活性水生成装置を含む。図６に示すように、当該食器洗い機は、予備洗浄モジュール１００と、メイン洗浄モジュール２００と、洗い流しモジュール４００と、洗浄対象物を上記各モジュールを順に通過させるための輸送ベルト６００とを含む。輸送ベルト６００は、予備洗浄モジュール１００の近くに設けられる入口６０１と、洗い流しモジュール４００の近くに設けられる出口６０２とを備え、当該出口６０２には、使用者が当該食器洗い機を制御するための制御モジュール５００がさらに設けられる。
【００１９】
予備洗浄モジュール１００は、小分子活性水生成装置１０１を含む。小分子活性水生成装置１０１に吐水管が接続され、当該吐水管には、所定の間隔を隔てる少なくとも１対のノズル１０２、１０３が設けられ、当該洗浄対象物が輸送ベルト６００により運搬されて予備洗浄モジュール１００に入ると、給水機能及び排水機能を兼ね備える排水口１０４から、洗剤を含まない水を小分子活性水生成装置１０１に注入し、そして当該小分子活性水生成装置１０１による磁化後の洗淨水を高圧噴射して当該洗浄対象物を所定の時間洗浄すると、予備洗浄プロセスが完了する。予備洗浄モジュール１００に含まれる小分子活性水生成装置１０１は、その構造について前述したので、重複する説明を省略する。
【００２０】
次に、当該洗浄対象物はメイン洗浄モジュール２００に入る。メイン洗浄モジュール２００は、水槽２０２の下方に設けられる高圧水ポンプ２０１を含み、高圧水ポンプ２０１によって、洗剤を含まない小分子水を複数のノズル２０３、２０４から噴出して、作業槽内で循環させ、必要に応じてメイン洗浄モジュール２００を追加してもよい。
【００２１】
さらに、当該洗浄対象物は、洗い流しモジュール４００に入る。洗い流しモジュール４００は、水槽４０２の下方に設けられる高圧水ポンプ４０１を含み、これにより、水槽４０２内の洗剤を含まない小分子水は吐水管に設けられる複数のノズル４０３、４０４から噴出されて洗浄を行う。最後に、洗浄後の洗浄対象物を出口６０２から回収台に送ると、洗浄プロセスが完了する。
【００２２】
予備洗浄モジュール１００、メイン洗浄モジュール２００及び洗い流しモジュール４００内に循環する洗浄用水は、同じものであり、いずれも小分子活性水生成装置１０１による処理後の小分子水であり、内部管路（不図示）によって水槽２０２及び４０２に輸送されて洗浄用水として使用される。
【符号の説明】
【００２３】
１、１０１  小分子活性水生成装置
１０  螺旋管
１１  螺旋管状の本体
１２  給水チャネル
１３  吐水チャネル
２０  コイルアセンブリ
２１  第１の収容スペース
２２  円柱体
２３  金属線
３０  中空の環状ケーシング
３１  第２の収容スペース
３２  磁気素子
３３  突出部
３４  底部
３５  貫通孔
４０  回路基板
１００  予備洗浄モジュール
１０２、１０３、２０３、２０４、４０３、４０４  ノズル
１０４  排水口
２００  メイン洗浄モジュール
２０１、４０１  高圧水ポンプ
２０２、４０２  水槽
４００  洗い流しモジュール
５００  制御モジュール
６００  輸送ベルト
６０１  入口
６０２  出口
Ｄ１、Ｄ３、Ｄ４  外径
Ｄ２、Ｄ５  内径
Ｄ６  幅
Ｈ１、Ｈ２、Ｈ３、Ｈ４  高さ
Ｌ１  長さ
【図１】
0003221612.tif 000003
【図２】
0003221612.tif 000004
【図３】
0003221612.tif 000005
【図４】
0003221612.tif 000006
【図５】
0003221612.tif 000007
【図６】
0003221612.tif 000008